(57)【要約】【課題】高齢者が着用しやすく、使用者の身体に合わせて、調整・固定できる手段を備えることで、確実な背筋補助作用を発揮するインナーを提供すること。【解決手段】腹部を包囲する胴ベルト部３１と、背筋に対応して設けられる背筋ベルト部５１と、一端が前記背筋ベルト部の上端に接合され、他端が前記背筋ベルト部の前記一端と前記他端の中間付近に接合された一対の肩ベルト部４１，４１とを有し、前記胴ベルト部が、背面側に位置して前記背筋ベルト部と接合された腰ベルト部３２と、該腰ベルト部の両端から延び、身体の前面側で、各先端部が着脱手段により互いに分離・結合可能とされた一対の腹ベルト部３４，３５とを備え、前記腰ベルト部が略水平方向に延び、前記一対の腹ベルト部の前記各先端部が前記腰ベルト部よりも下方の位置で前記着脱手段３６により着脱される構成。【選択図】図１
2008002035.tif 000002
【特許請求の範囲】
【請求項１】
腹部を包囲するように設けられ、包囲状態で弾性力を発揮する胴ベルト部と、
該胴ベルト部に一端が接合され、他端が肩位置に配され、背筋に対応して設けられて、弾性力を発揮する背筋ベルト部と、
少なくとも身体の前面部における腕付け根周囲部に対応する位置に配置され、一端が前記背筋ベルト部の上端に接合され、他端が前記背筋ベルト部の前記一端と前記他端の中間付近に接合された一対の肩ベルト部と
を有しており、
前記胴ベルト部が、
身体の背面側に位置して前記背筋ベルト部と接合された腰ベルト部と、該腰ベルト部の両端からそれぞれ延びており、身体の前面側で、各先端部が着脱手段により互いに分離・結合可能とされた一対の腹ベルト部と
を備え、
前記腰ベルト部が略水平方向に延びているとともに、前記一対の腹ベルト部の前記各先端部が前記腰ベルト部よりも下方の位置で前記着脱手段により着脱される構成とした
ことを特徴とするインナー。
【請求項２】
前記背筋ベルト部が、背筋の位置に沿って延びる背筋ベルト本体と、該背筋ベルト本体の上端で両側方に分離された背筋ベルト上部を備えており、前記一対の肩ベルト部の各肩ベルト上端が前記背筋ベルト上部と接合され、各肩ベルト下端が背筋ベルト本体の中間付近にそれぞれ接合されていることを特徴とする請求項１に記載のインナー。
【請求項３】
前記肩ベルト部が、上半身部分に着用されるベスト式インナーの前身頃部と後身頃部にわたって設けられており、前記背筋ベルト部と前記腰ベルト部は前記後身頃部に設けられていて、前記一対の腹ベルト部が前記腰ベルト部の両端に対して接合されており、前記前身頃部が開閉可能とされていることを特徴とする請求項１または２のいずれかに記載のインナー。
【請求項４】
前記前身頃部の下端が下方に延長されて腹部カバー部とされており、該腹部カバー部の上に前記腹ベルト部が当接する構成としたことを特徴とする請求項１ないし３のいずれかに記載のインナー。
【請求項５】
腹部を包囲するように設けられ、包囲状態で弾性力を発揮する胴ベルト部と、
該胴ベルト部に一端が接合され、他端が肩位置に配され、背筋に対応して設けられて、弾性力を発揮する背筋ベルト部と、
少なくとも身体の前面部における腕付け根周囲部に対応する位置に配置され、一端が前記背筋ベルト部の上端に接合され、他端が前記背筋ベルト部の前記一端と前記他端の中間付近に接合された一対の肩ベルト部と
を有しており、
前記胴ベルト部が、
身体の背面側に位置して前記背筋ベルト部と接合された腰ベルト部と、該腰ベルト部の両端からそれぞれ延びており、身体の前面側で、各先端部が着脱手段により互いに分離・結合可能とされた一対の腹ベルト部と
を備え、
前記腰ベルト部が略水平方向に延びているとともに、前記一対の腹ベルト部の前記各先端部が前記腰ベルト部よりも下方の位置で前記着脱手段により着脱される構成とされ、
さらに、
股下部の後側から臀部下領域を通り、腹部に達する領域に対応して臀部ベルト部が設けられており、該臀部ベルト部よりも内側の臀部に相当する領域に臀部パッド部が形成されていることを特徴とするインナー。
【請求項６】
前記肩ベルト部が、上半身部分に着用されるベスト式インナーの後身頃部と前身頃部にわたって設けられており、前記背筋ベルト部と前記腰ベルト部は前記後身頃部に設けられていて、前記一対の腹ベルト部が前記腰ベルト部の両端に対して接合されており、前記前身頃部が開閉可能とされているとともに、前記臀部ベルト部と前記臀部パッド部が、前記ベスト式下着と組み合わされるスパッツ式下着に設けられていることを特徴とする請求項５に記載のインナー。
【発明の詳細な説明】
【技術分野】
【０００１】
この発明は、加齢に伴って歩行に不安を感じる使用者が上半身に着用するための主としてベルトで構成したインナー、および上半身用と下半身用のものを組み合わせたインナーの改良に関する。
【背景技術】
【０００２】
多くの高齢者は、加齢にともない、日常の歩行が次第に困難になることがよく知られている。
このような歩行困難の原因のひとつとしては、背面の筋肉、すなわち背筋を中心とした歩行に適した姿勢を保持する筋肉の衰えがあげられる。
すなわち、例えば、背筋が衰えると、前傾姿勢となりがちであり、そのことに起因して歩行の際に足を上げて踵から着地するという動きが困難となり、重心が爪先側にかかった状態で歩幅が小さくなる。このため、歩行が不安定となることが知られている。
【０００３】
このような点を考慮して、背筋などの姿勢に関与する筋肉の補助をするための補強具や矯正具としては、身体に装着するベルトを主体としたインナーや、ベルトと近似した作用を仕込んだシャツ状の下着としてのインナーが種々提案されている。
例えば、ベルトを構成の主体とするものとして、特許文献１、特許文献２のものがある。また、衣類として構成したものとして特許文献３のものが知られている。
【０００４】
【特許文献１】特開２００３−３８５３６号
【特許文献２】特開２００２−２２４１５０号
【特許文献３】特開２００６−３７２５５号
【発明の開示】
【発明が解決しようとする課題】
【０００５】
これら特許文献１や特許文献２の構成によると、使用者が、比較的太く、伸縮力の強いベルト構造体を着用する構成であり、装着部位に応じて種類の異なるベルトを組み合わせているために、比較的筋力が弱くなった年輩の着用者が、自力でこれら各種類のベルトの強さや位置を調整しながら装着固定する場合に、装着に困難がともなう場合がある。
また、特許文献３のものは、下着として、衣類の構成をとるために、複数種類のベルトを装着する場合よりは、着用が容易である。
しかしながら、背筋を伸ばす為の背筋ベルトを身体にあわせて調整・固定するための手段がなく、姿勢矯正もしくは背筋補助などの効果が乏しいだけでなく、高齢者がそのような調整・固定を、自分に合わせて、容易に実現できるようにするための工夫がなされていない為、もし背筋を伸ばすことが可能な程の強いベルトを配置した場合、着用自体が困難になるという欠点がある。
【０００６】
この発明は、上述の課題を解決するためになされたもので、高齢者が着用しやすく、使用者の身体に合わせて、調整・固定できる手段を備えることで、確実な背筋補助作用を発揮するインナーを提供することである。
【課題を解決するための手段】
【０００７】
上記目的は、第１の発明にあっては、腹部を包囲するように設けられ、包囲状態で弾性力を発揮する胴ベルト部と、該胴ベルト部に一端が接合され、他端が肩位置に配され、背筋に対応して設けられて、弾性力を発揮する背筋ベルト部と、少なくとも身体の前面部における腕付け根周囲部に対応する位置に配置され、一端が前記背筋ベルト部の上端に接合され、他端が前記背筋ベルト部の前記一端と前記他端の中間付近に接合された一対の肩ベルト部とを有しており、前記胴ベルト部が、身体の背面側に位置して前記背筋ベルト部と接合された腰ベルト部と、該腰ベルト部の両端からそれぞれ延びており、身体の前面側で、各先端部が着脱手段により互いに分離・結合可能とされた一対の腹ベルト部とを備え、前記腰ベルト部が略水平方向に延びているとともに、前記一対の腹ベルト部の前記各先端部が前記腰ベルト部よりも下方の位置で前記着脱手段により着脱される構成としたインナーにより、達成される。
【０００８】
第１の発明の構成によれば、前記胴ベルト部は、腹部を包囲しており、腹部の周囲で弾性に基づく作用を発揮する。この場合、弾性とは、所謂「ゴム弾性」と同様な性質の作用を発揮するもので、「引っ張ると伸びるが、放すと元の状態に戻る」力を作用させる。
前記背筋ベルト部は背筋に対応して設けられ、背筋の作用を補助するが、特に、肩ベルト部ととともに、後述する作用を発揮する。つまり、肩ベルト部は背筋ベルト部の弾性力が姿勢を延ばすことに効果的に寄与するように協働して機能する。
すなわち、肩ベルト部は各腕の付け根周囲の箇所を保持して、背筋ベルト部の一端に結合させる。背筋ベルト部は強い張力で使用者の肩部を引き上げるが、この背筋ベルト部の張力は、その下端部分が、胴ベルト部の一部である前記腰ベルト部に支持され、これにより、効果的に使用者の肩部を引き起こして、前傾姿勢を防ぐことができるものである。
ここで、腰ベルト部はその両端が一対の腹ベルト部に接合されており、この一対の腹ベルト部の自由端である先端部が腹部の位置でしっかりと結合されることで、胴ベルトとして胴回りに固定され、前記腰ベルト部が背筋ベルト部を支持できるのである。
さらに、使用者は腹ベルト部の各先端部を持って、その延びる方向である斜め下方に引っ張ると、比較的力が弱い使用者であっても、横向きよりも力を入れ易い為、確実に弾性力を発揮させることができ、その状態で前記着脱手段により結合固定することができる。これにより、腰ベルト部は腹ベルト部の強い引っ張り力により適切な位置に配置され、この腰ベルトに支持された背筋ベルト部や肩ベルト部の上述した作用を確実に発揮させ、その状態を維持できる。
そして、手や指の働きや機能が多少不自由になっている高齢者であっても、腹ベルト部の調整・固定に際しては、一対の該腹ベルト部が腰ベルト部の両端部から延びて配置されていることから、これを力の入れ易い斜め下方に引っ張るだけで実現でき、きわめて装着が容易でありながらも、確実に背筋ベルト部等の機能を発揮させられる。
ここで、「インナー」とは上着やシャッツの下に着用する意味であり、通常タイプの下着も含まれるし、下着シャツなどのなどのさらに下に着用するものであって、使用者の肌の上に直接着用するもの、主としてベルト体だけで構成されるもの等も含むものである。
かくして、高齢者が着用しやすく、使用者の身体に合わせて、調整・固定できる手段を備えることで、確実な背筋補助作用を発揮するインナーを提供することができる。
【０００９】
第２の発明は、第１の発明の構成において、前記背筋ベルト部が、背筋の位置に沿って延びる背筋ベルト本体と、該背筋ベルト本体の上端で両側方に分離された背筋ベルト上部を備えており、前記一対の肩ベルト部の各肩ベルト上端が前記背筋ベルト上部と接合され、各肩ベルト下端が背筋ベルト本体の中間付近にそれぞれ接合されていることを特徴とする。
第２の発明の構成によれば、肩ベルト部が使用者の肩まわりを確実に保持した状態で、背筋ベルト部の張力が効果的に作用し、その状態を維持できるように接続されている。
【００１０】
第３の発明は、第１または２のいずれかの発明の構成において、前記肩ベルト部が、上半身部分に着用されるベスト式インナーの前身頃部と後身頃部にわたって設けられており、前記背筋ベルト部と前記腰ベルト部は前記後身頃部に設けられていて、前記一対の腹ベルト部が前記腰ベルト部の両端に対して接合されており、前記前身頃部が開閉可能とされていることを特徴とする。
第３の発明の構成によれば、使用者が高齢者であっても、複数種類のベルト部個々に装着するのではなく、ベスト式のインナーを衣服と同様に着用し、上述したように、腹ベルト部の先端部を斜め下方に引き下げて固定するだけで、きわめて容易に着用し、かつ適切な位置や強さに調整・固定することができる。
【００１１】
第４の発明は、第１ないし３のいずれかの発明の構成において、前記前身頃部の下端が下方に延長されて腹部カバー部とされており、該腹部カバー部の上に前記腹ベルト部が当接する構成としたことを特徴とする。
第４の発明の構成によれば、素肌上に直接着用した場合でも、腹ベルト部が直接使用者の腹部の肌に触れることがなく、前記腹部カバーが肌に当たるようにしたので、着用者に不快感がなく、快い着用感を得ることができる。
【００１２】
また、上記目的は、第５の発明にあっては、腹部を包囲するように設けられ、包囲状態で弾性力を発揮する胴ベルト部と、該胴ベルト部に一端が接合され、他端が肩位置に配され、背筋に対応して設けられて、弾性力を発揮する背筋ベルト部と、少なくとも身体の前面部における腕付け根周囲部に対応する位置に配置され、一端が前記背筋ベルト部の上端に接合され、他端が前記背筋ベルト部の前記一端と前記他端の中間付近に接合された一対の肩ベルト部とを有しており、前記胴ベルト部が、身体の背面側に位置して前記背筋ベルト部と接合された腰ベルト部と、該腰ベルト部の両端からそれぞれ延びており、身体の前面側で、各先端部が着脱手段により互いに分離・結合可能とされた一対の腹ベルト部とを備え、前記腰ベルト部が略水平方向に延びているとともに、前記一対の腹ベルト部の前記各先端部が前記腰ベルト部よりも下方の位置で前記着脱手段により着脱される構成とされ、さらに、股下部の後側から臀部下領域を通り、腹部に達する領域に対応して臀部ベルト部が設けられており、該臀部ベルト部よりも内側の臀部に相当する領域に臀部パッド部が形成されているインナーにより、達成される。
【００１３】
第５の発明の構成によれば、第１の発明の作用に加えて、腹部下部の引き締め効果だけでなく、臀部の引き上げ効果を発揮し、特に臀部の引き上げにより足の運びを行い易くしている。さらに、臀部パッド部が臀部ベルト部の内側に配置されていることで、引き上げられた臀部と協同して、転倒した場合における臀部の保護を行うことができる。
【００１４】
第６の発明は、第５の発明の構成において、前記肩ベルト部が、上半身部分に着用されるベスト式インナーの後身頃部と前身頃部にわたって設けられており、前記背筋ベルト部と前記腰ベルト部は前記後身頃部に設けられていて、前記一対の腹ベルト部が前記腰ベルト部の両端に対して接合されており、前記前身頃部が開閉可能とされているとともに、前記臀部ベルト部と前記臀部パッド部が、前記ベスト式下着と組み合わされるスパッツ式下着に設けられていることを特徴とする。
第６の発明によれば、第５の発明の作用を得るに当たり、使用者が高齢者であっても、複数種類のベルト部個々に装着するのではなく、ベスト式のインナーを衣服と同様に着用し、スパッツ式下着を履いて、上述したように、腹ベルト部の先端部を斜め下方に引き下げるだけで、きわめて容易に着用し、かつ調整・固定することができる。
【発明を実施するための最良の形態】
【００１５】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１６】
図１は、組み合わせて使用することができる本実施形態に係る２種のインナーを示す分解斜視図、図２は上半身用インナーの概略斜視図、図３は上半身用インナーと下半身用インナーの背面の図である。
これらの図を参照しながら、本実施形態を詳細に説明する。
図１において上半身用インナー（以下、「上インナー」と略称する）２０は、ノースリーブで、所謂「ベスト」もしくは「チョッキ」タイプのものであり、前見身頃２１，２２と、後身頃２３を備えている。
【００１７】
すなわち、上インナー２０の前身頃の中央は縦に分離されており、右部分２１と左部分２２が、使用者の身体の前面で合わせられた前開き状とされており、着脱手段であるスナップボタンにより固定されるようになっている。なお、着脱手段は面ファスナーやカギホック等の他の係合手段を使用してもよい。
前身頃、後身頃を形成する布地は、伸縮性を有する材料を使用しており、好ましくは、例えば、化繊や化繊と綿の混紡生地などでなる伸縮性ある素材を、経編みした光沢ある素材であり、所謂サテンネット、あるいは綿混サテンネットや、トリコット等、あるいは丸編み伸縮素材である天竺、フライス、スムース等で形成することができ、その他、綿等の吸湿性を有する材料で形成してもよい。女性用のインナーを形成する場合には、図示するように細レースの縁取りなどを行ってもよい。
このような布地に、所定方向に、以下に説明するベルト部もしくはベルト体を設けるようにしている。すなわち、該布地に弾性力のあるパワーネットやサテンネット、ゴムテープ、ツーウェイトリコット、ハイパワーレース、メッシュゴムなどを縫着して形成されている。これらの素材は、一方向に限らず、ツーウエイの伸縮素材を用いることができる。
【００１８】
図１および図２において、上インナー２０には、使用者Ｕの腹部を包囲するように設けられ、包囲状態で弾性力を発揮する胴ベルト部３１を有している。また、図３に示すように、胴ベルト部３１に一端５２が接合され、他端５３，５３が肩位置に配され、背筋に対応して設けられて、弾性力を発揮する背筋ベルト部５１が形成されている。
さらに、図１および図２に示されているように、少なくとも使用者Ｕの身体の前面部における腕付け根部Ｗ周囲に対応する位置に配置され、一端４２，４２が背筋ベルト部５１の上端に接合され、他端４３，４３がこの背筋ベルト部５１の一端５２と他端５３，５３の中間付近に接合された一対の肩ベルト部４１とを有している。
【００１９】
さらに、胴ベルト部３１は、使用者Ｕの身体の背面側に位置して背筋ベルト部５１と接合された図３に示す腰ベルト部３２を備えている。
また、胴ベルト部３１は、図１に示すように、腰ベルト部３２の両端３３，３３からそれぞれ延びており、使用者Ｕの身体の前面側で、各先端部が着脱手段により互いに分離・結合可能とされた一対の腹ベルト部３４，３５を有している。そして、図３の腰ベルト部３２は図示するように、略水平方向に延びているとともに、図１の一対の腹ベルト部３４，３５の各先端部が腰ベルト部３２よりも下方の位置で着脱手段３６により着脱されるようになっている。
このとき、腰ベルト部３２は略水平方向に伸びる構成とされているが、背筋ベルト部５１の下端部が腰ベルト部３２のゴム等に直接縫合され、また、図３に示すように使用者が装着することで、使用者の腰部の形に対応して、腰ベルト中央部３２ａが僅かに両端部３３，３３よりも上側に位置する構成とされている。
なお、腰ベルト部３２と腹ベルト部３４，３５を一つの弾性力を有する部材として一体に形成したり、腰ベルト部３２を二つの部材として、腹ベルト部３４，３５とそれぞれ一体にして、腰ベルト部３２の中央部３２ａで斜めに接合させ、「く」字状に斜め下方に延びるよう構成してもよい。さらに、腰ベルト部３２を前身頃２１，２２側まで延伸し、腹ベルト部３４，３５を腰ベルト部３２の途中から伸びるよう配置してもよい。
【００２０】
この実施形態では、右の腹ベルト部３４の先端部の着脱手段として、例えば面ファスナーのオス部材３６ａが形成されており、左腹ベルト３５の非肌当接面側の全面に設けられた例えば起毛表面もしくは面ファスナーのメス部材３６ｂに着脱されるようになっている。特に、着脱手段３６としての面ファスナーのメス部材は、ベルトの延びる方向に長く形成されていて、着脱位置を長さ方向に調整できるようになっている。なお、腹ベルト３４，３５の着脱手段は、長さの調整ができるよう多段状に設けられたカギホックやスナップボタン等の他の係止手段を使用してもよい。
【００２１】
図３に示すように、背筋ベルト部５１は、使用者Ｕの身体の縦方向、すなわち、その背筋の位置に沿って延びる幅の広い、大きな面積を備えるパワーネットで形成されており、身体の縦方向に沿って矢印Ａに示すように、特に弾性力を発揮できるようになっている。
すなわち、背筋ベルト部５１は、身体のほぼ中央部で背筋に沿って延びる幅広の部分としての背筋ベルト本体５４を有している。この背筋ベルト本体５４の上端は、Ｙ字状に左右の各側方に分かれて、それぞれ背筋ベルト上部５５，５５とされている。
【００２２】
この背筋ベルト上部５５，５５の端部、すなわち、上述した背筋ベルト部の他端５３，５３として、図１に示されるパワーネットで形成した肩ベルト部４１，４１の各肩ベルト上端４２，４２に対して、一体に接合されているか、あるいは縫着されている。
ここで、肩ベルト部４１，４１は、それぞれリング状とされて腕の付け根部Ｗを包囲して、下側では使用者Ｕの身体の背面に回り込み、図３に示すように該肩ベルトの下端４３，４３としてほぼ水平に延びて、背筋ベルト本体５４の中間付近の左右側縁に一体もしくは縫着により接合されている。
【００２３】
すなわち、肩ベルト部４１，４１は、図１に示す前身頃部２１，２２から、図３の後身頃部２３にわたって設けられており、背筋ベルト部５１と腰ベルト部３２は後身頃部２３に設けられている。そして、図１に示すように、一対の腹ベルト部３４，３５が腰ベルト部３２の両端３３，３３に対して接合されている。
これにより、肩ベルト部４１，４１は、図１に示す身体の前面において、使用者Ｕの左右の各肩部を引き上げるように矢印Ｂ，Ｂに示すような強い引っ張り力を発揮する。
このような引っ張り力は、図３に示すように、肩ベルトの下端４３，４３が矢印Ｃ，Ｃに示す支持力を発揮することで、支持されるものである。
【００２４】
また、胴ベルト部３１にあっては、少なくとも図３に示す腰ベルト部３２は、強い弾性力を有するゴムテープ、サテンネット、パワーネット等によって形成されており、ここでは、後身頃部２３の下端でくるむように縫着して形成されている。一方、この腰ベルト部３２の両端３３，３３に接合される腹ベルト部３４，３５は、腰ベルト部３２と一体に上述の弾性材料や、より伸縮力の弱いバイアス生地、あるいはほとんど伸縮しない帯状の布地で形成されており、ここでは、ほとんど伸縮しない帯状材料で形成し、胴ベルト部３１の弾性力は腰ベルト部３２の弾性力によって実現されている。
これにより、少なくとも腰ベルト部３２は、伸縮せず広幅とされることで把持し易く、装着状態を確実に維持できる構成とされた腹ベルト部３４，３５の先端部を使用者Ｕが両方の手で保持して、斜め下方に引くと、腹ベルト部３４、３５の移動に伴い、腰ベルト部３２は横方向、図３に矢印Ｄ，Ｄで示す方向に引っ張り力を発揮するようになっている。
ここで、図１に示すように、インナー２０にあっては、前身頃部が比較的下方に長く形成されている。すなわち、前身頃部の下方に延長された部分が腹部カバー部２１ａ，２２ａとされており、使用者Ｕの下腹部を覆うようになっている。
そして、腹ベルト部３４，３５を斜め下方に引っ張り、該腰ベルト部３２を自己の身体の腰部分に簡単に位置合わせして腰ベルト３２の張力を調整して、腹ベルト部３４，３５の着脱手段３６である面ファスナーを固定する。この状態が図２に示されている状態であり、固定した腹ベルト部３４，３５は腹部カバー部２１ａ，２２ａの上に配置されるから、該腹ベルト部３４，３５が直接使用者の腹部の肌に触れることがないので、素肌上にインナー２０を着用した場合でも着用者に不快感がなく、快い着用感を得ることができる。
【００２５】
本実施形態の上インナー２０は以上のように構成されており、以下のように作用する。
図１の肩ベルト部４１，４１は背筋ベルト部５１が発揮する矢印Ａに示した弾性力に基づく引っ張り力が、使用者Ｕの姿勢を伸ばすこと、すなわち、背筋を伸ばすことに効果的に寄与するように協働する。
具体的には、肩ベルト部４１は図１に示すように、腕の付け根部Ｗの周囲の箇所を保持している。この保持力を、肩ベルト部４１の上端４２が接合している背筋ベルト部５１の一端、即ち肩ベルト上部５５に伝える。
【００２６】
上記したように、背筋ベルト部５１は強い張力Ａで使用者Ｕの肩部を引き上げるが、この背筋ベルト部５１の張力は、背筋ベルト部５１の一端５２である下端部分が、腰ベルト部３２に支持されて初めて効果的に使用者の肩部を引き起こす力として作用することができる。
ここで、腰ベルト部３２は、図１に示すように、その両端３３，３３が一対の腹ベルト部３４，３５に接合されており、図２に示すように、この一対の腹ベルト部３４，３５の自由端である先端部が斜め下方に引かれた状態で腹部の位置でしっかりと結合されることで、図３で示すように、腰ベルト部３２が背筋ベルト部５１を支持できるのである。
【００２７】
このため、着用に際しては、インナー２０を羽織った状態から、使用者Ｕは腹ベルト部３４，３５の各先端部を持って、その延びる方向である斜め下方に引っ張ると、腰ベルト部３２に大きな張力がかかり、その状態で図２に示すように着脱手段３６を重ねて結合固定することができる。
つまり、手や指の働きや機能が多少不自由になっている高齢者であっても、腹ベルト部３４，３５を力の入れ易い斜め下方に引っ張ることで、腰ベルト３２を自己の身体の腰部分に簡単に位置合わせできる。そして、同時に腰ベルト３２の張力（引っ張り力）を調整しつつ、図２に示すように、トル面ファスナーを留め合わせるだけで、調整した腰ベルト位置に適切な張力状態で固定することができる。このような操作を、従来の横方向に腹ベルト部が向かう構成とされたベルト式の矯正具などと比較すると、ベスト式のインナーの着用であって、腹ベルト部が斜め下方に延びる点で、着用が容易で目立たずに使用できるだけでなく、張力の調整をきわめてし易く、使いやすい利点がある。
このように、本実施形態によれば、高齢者が着用しやすく、使用者の身体に合わせて、調整・固定できる手段を備えることで、確実な背筋矯正・補助作用を発揮する上インナー２０を提供することができる。
【００２８】
次に図１および図３を参照して下半身用インナーについて説明する。
これらの図において、下半身用インナー（以下、「下インナー」と略称する）６０は、所謂「スパッツ」もしくは「ガードル」タイプのものであり、パンツ式に履くような基本構成である。
上述した上インナー２０は、単独で実施され得るし、あるいは上インナー２０と、後述する下インナー６０を同時に実施することで、使用者はこれらを同時に使用し、さらに矯正・補助の効果を向上させてもよい。
【００２９】
下インナー基本形態としての本体６１は、例えば図示するようなスパッツ形態であり、ウエスト付近の形成される大きな開口６２と、左右の各足を挿通させて出す右足開口６３および左足開口６４を有しており、着用により、ウエストから下の腹部および臀部と両足太股付近までを覆う形態である。なお、本実施の形態ではウエスト開口６２に伸縮性を持たせることでそのまま履ける形態としているが、例えばスライドファスナーやボタン、ホック等の着脱手段を使用して、ウエスト開口を開閉できる構成としてもよい。
本体６１を形成するための素材は、薄くて、軽く、ある程度の伸縮性がある生地で形成されることが好ましく、例えば、綿混の化繊でなる天竺編み素材や、サテンネット、トリコット、フライス、スムースなどが適している。
【００３０】
本体６１の前面の腹部に対応する箇所には、下方に頂点を向けたほぼ三角状のパワーネットやサテンネット、ゴムテープ、ツーウェイトリコット、ハイパワーレースなどの伸縮素材を配してなる腹部引き締め部６９が形成されている。また、図１および図３に示すように、股下部の後側から臀部下領域を通り、腹部に達する領域、すなわち、上記腹部引き締め部６９の上端に近接する領域まで、帯状のパワーネット等の伸縮素材が配置されることにより、臀部ベルト部６５が配置されている。
【００３１】
さらに、臀部ベルト部６５の内側で、臀部の両突出部に対応する位置には、臀部パッド部６７，６７が形成されている。臀部パッド部６７は、本体６１の該当領域にウレタンや発泡材、綿等からなるクッション材などを配して、縫着などにより固定することで形成されており、ここでは表地と裏地の間に挟んだ状態で、外周の表地と裏地を縫着している。
また、本体６１の前面で、両足の太股付近の上部を横切るように、パワーネット等の伸縮素材を配することによって、太股ベルト部６８が形成されている。具体的には、この太股ベルト部６８は、股下側の端部が、臀部ベルト部６５の股下部に接続するよう配置されており、外腿側の端部が臀部ベルト部６５の略中間領域に接続するよう配置されている。
【００３２】
これにより、上インナー２０を着用しつつ、さらに下インナー６０を着用することにより、上インナー２０の上述の作用に加えて、下インナー６０の腹部引き締め部６９により、腹部のたるみが引き締められるだけでなく、臀部ベルト部６５の作用により、加齢に伴って下垂しつつある臀部を上方に引き上げて腰部の姿勢を正す作用を発揮する。また、このような作用と同時に、両足の太股上部を引き締めることにより、足の筋肉を意識させて全体として高齢者の歩行に際して、正しい直立姿勢を維持させながら、歩幅を広くとれて、足を上げて踵から着地するような通常の歩行に近づけるよう、より効果的に促すことができるものである。
しかも、臀部ベルト部６５の作用により、臀部を上方に引き上げるとともに、臀部パッド部６７が配置されているため、転倒の不安を感じつつある高齢者等に対して、転倒時の危険を感じさせず、積極的に外出等で歩行することを促すことができる。
【００３３】
本発明は上述の実施形態に限定されない。
例えば、上インナーや下インナーは、上述のものとは異なる生地により形成することもできる。また、上述の説明では含まれないような、例えば前身頃側で肩ベルト部４１，４１を連結する連結ベルト等のベルト部を追加してもよい。さらに、上インナー２０と下インナー６０を一体に形成した所謂ボディスーツ状に形成してもよい。また、上インナー２０を前開きする形態としているが、筒状とされて開閉しない所謂タンクトップ状の形態としてもよい。
その他にも、上インナー２０をベスト状の形態とするのではなく、本発明における構成を備えていれば、腹ベルト部３４，３５、腰ベルト部３２、背筋ベルト部５１、肩ベルト部４１の各ベルト部だけを連結して形成した特許文献１，２のような補強ベルトや矯正ベルトとして形成してもよい。
上述の各実施形態における各構成は相互に組み合わせたり、必要により、その一部を省略したり、他の構成と入れ換えて、異なる構成の組み合わせのもとで実施されてもよい。
【図面の簡単な説明】
【００３４】
【図１】本発明の実施形態の上インナーおよび下インナーを示す概略分解斜視図。
【図２】本発明の実施形態の上インナーの概略斜視図。
【図３】本発明の実施形態の上インナーおよび下インナーを示す概略背面図。
【符号の説明】
【００３５】
２０・・・上（半身用）インナー、２１，２２・・・前身頃、２３・・・後身頃、３１・・・胴ベルト部、３２・・・腰ベルト部、３４，３５・・・腹ベルト部、４１，４１・・・肩ベルト部、５１・・・背筋ベルト部
【図１】
2008002035.tif 000003
【図２】
2008002035.tif 000004
【図３】
2008002035.tif 000005